(57)【要約】【課題】電気かみそりにおいて、外刃ホルダーをかみそりヘッドに装着する際に、外刃を掛止するための掛止フックが内刃で傷付けられるのを防いで、外刃の交換作業などをユーザー自身で適正に行えるようにする。【解決手段】内刃１０と外刃１１、および外刃１１を逆Ｕ字状に保持する外刃ホルダー１２とを備えている。外刃１１は刃本体２１と補強板２３とで構成され、その左右に設けた掛止穴２４が、外刃ホルダー１２の内面に設けた逆Ｌ字状の掛止フック３５に掛止装着してある。補強板２３の下縁に横長リブ状の保護突起４１を設け、保護突起４１で掛止フック３５の下面側を覆うことにより、内刃１０が掛止フック３５に接当するのを保護突起４１で阻止する。【選択図】図１
2008022975.tif 000002
【特許請求の範囲】
【請求項１】
かみそりヘッド（７）に配置される内刃（１０）と、かみそりヘッド（７）に着脱される外刃ホルダー（１２）と、外刃ホルダー（１２）で逆Ｕ字状に保持される外刃（１１）とを備えており、
外刃（１１）は、シート状の網刃からなる刃本体（２１）と、刃本体（２１）の装着ベース（２２）に固定される補強板（２３）とを備えており、
装着ベース（２２）および補強板（２３）の左右に設けた掛止穴（２４）が、外刃ホルダー（１２）の内面に突設した逆Ｌ字状の掛止フック（３５）に下方から掛止装着されており、
掛止フック（３５）の下突端より下方に位置する補強板（２３）の下部に、内刃（１０）が掛止フック（３５）に接当するのを阻止する保護突起（４１）が設けてある電気かみそり。
【請求項２】
内刃（１０）の中心軸線（Ｐ）が、本体ケース（１）の中心軸線（Ｎ）に対して前傾させてあり、
保護突起（４１）が、補強板（２３）の幅方向に沿って横長リブ状に形成してある請求項１記載の電気かみそり。
【請求項３】
保護突起（４１）の下面に、内刃（１０）を斜め上向きに移動案内するガイド面（４２）が形成してある請求項１または２記載の電気かみそり。
【請求項４】
保護突起（４１）の突出寸法（Ｂ１）が、掛止フック（３５）の突出寸法（Ｂ２）と同じか、これより僅かに大きく設定してある請求項１から３のいずれかに記載の電気かみそり。
【請求項５】
保護突起（４１）と掛止フック（３５）とが、僅かな隙間（Ｅ）を介して上下に対向している請求項１から４のいずれかに記載の電気かみそり。
【請求項６】
かみそりヘッド（７）に配置される内刃（１０）と、かみそりヘッド（７）に着脱される外刃ホルダー（１２）と、外刃ホルダー（１２）で逆Ｕ字状に保持される外刃（１１）とを備えており、
外刃（１１）は、シート状の網刃からなる刃本体（２１）と、刃本体（２１）の装着ベース（２２）に固定される補強板（２３）とを備えており、
装着ベース（２２）と補強板（２３）との左右に設けた掛止穴（２４）が、外刃ホルダー（１２）の内面に突設した掛止フック（３５）に対して下方から掛止装着されており、
掛止フック（３５）は、横向きに延びる掛止腕（３６）と、掛止腕（３６）の突端から下向きに延びる抜止爪（３７）とで逆Ｌ字状に形成されており、
補強板（２３）の板面に、内刃（１０）が掛止フック（３５）に接当するのを阻止する保護突起（４１）が設けられており、
抜止爪（３７）の下端面および内面のうち、少なくとも下端面が保護突起（４１）の外郭線内に位置させてある電気かみそり。
【請求項７】
内刃（１０）の中心軸線（Ｐ）が、本体ケース（１）の中心軸線（Ｎ）に対して前傾させてあり、
保護突起（４１）が、内刃（１０）を斜め上向きに移動案内する下面側のガイド面（４２）と、ガイド面（４２）に連続して上向きに延びる接当規制面（５０）とを備えており、
保護突起（４１）の下端面および内面が、ガイド面（４２）および接当規制面（５０）を含む外郭線内に位置させてある請求項６記載の電気かみそり。
【請求項８】
保護突起（４１）が、補強板（２３）の幅方向に沿って横長リブ状に形成してある請求項７記載の電気かみそり。
【請求項９】
複数の保護突起（４１）が、補強板（２３）の幅方向に沿って分散配置してある請求項７記載の電気かみそり。
【請求項１０】
接当規制面（５０）の突出寸法（Ｂ１）が、掛止フック（３５）の突出寸法（Ｂ２）と同じか、これより僅かに大きく設定してある請求項７から９のいずれかに記載の電気かみそり。
【発明の詳細な説明】
【技術分野】
【０００１】
本発明は、電気かみそりにおける外刃の取付構造の改良に関する。
【背景技術】
【０００２】
電気かみそりにおける一般的な外刃はシート状の網刃で形成してあり、外刃ホルダーで逆Ｕ字状に保形保持される。外刃はプレス加工あるいは電鋳加工によって得られる刃本体と、刃本体の対向側縁に溶着固定されるプラスチック製の補強板とで構成してある。刃本体および補強板には、外刃ホルダーの内面に設けた掛止フックと係合する掛止穴が通設してある。この種の外刃の取付構造は例えば特許文献１、２に公知である。そこでは掛止フックが逆Ｌ字状に形成してあって、内刃で押し上げ操作される外刃の上方移動を掛止フックで規制している。
【０００３】
【特許文献１】特開昭６３−１８１７８６号公報（第２頁左下覧４〜９行、第１図）
【特許文献２】特開昭６３−１８１７８７号公報（第２頁右上覧６〜１４行、第９図）
【発明の開示】
【発明が解決しようとする課題】
【０００４】
特許文献１、２のように、逆Ｌ字状に形成した掛止フックに外刃を下方から掛止装着する取付構造では、例えば取り外した外刃ホルダーをかみそりヘッドに再装着する際に、内刃が掛止フックに接当して、掛止フックを傷付けることがある。とくに、内刃の中心軸線が前傾してある場合には、外刃ホルダーをかみそりヘッドに装着した状態において、内刃の前面が掛止フックに対してオーバーハング状に被さるため、外刃ホルダーを装着するとき内刃が掛止フックに接当しやすい。また、内刃が掛止フックに接当した状態のままで、強引に外刃ホルダーを装着すると掛止フックが破損することもある。その場合には、外刃ホルダーを交換する以外になく保守コストが嵩む。
【０００５】
外刃を外刃ホルダーから取り外す場合には、外刃を掛止フックの掛止腕に沿って浮き離れ操作したうえで、抜止爪に沿って下方スライドする必要があるので、外刃を掛止フックから取り外すのが難しく、外刃の交換に手間取ることが多い。とくに、１個の外刃と１個の内刃とでひげ切断を行う電気かみそりの場合には、外刃ホルダーの装着開口の前後幅が小さいため、補強板を含む取付基部を親指と人差指とで摘むことができず、外刃を取り外すのが難しい。ユーザーによっては、外刃に過剰な外力を加えて変形させてしまうこともある。
【０００６】
本発明の目的は、外刃ホルダーをかみそりヘッドに再装着する際に、掛止フックが内刃で傷付けられるのを確実に防止できるうえ、外刃の掛止フックからの取り外し操作を簡便化できる電気かみそりを提供することにある。
【課題を解決するための手段】
【０００７】
本発明の電気かみそりは、かみそりヘッド７に配置される内刃１０と、かみそりヘッド７に着脱される外刃ホルダー１２と、外刃ホルダー１２で逆Ｕ字状に保持される外刃１１とを備えている。外刃１１は、シート状の網刃からなる刃本体２１と、刃本体２１の装着ベース２２に固定される補強板２３とを備えている。装着ベース２２および補強板２３の左右に設けた掛止穴２４は、外刃ホルダー１２の内面に突設した逆Ｌ字状の掛止フック３５に下方から掛止装着される。掛止フック３５の下突端より下方に位置する補強板２３の下部に、内刃１０が掛止フック３５に接当するのを阻止する保護突起４１を設ける。
【０００８】
内刃１０の中心軸線Ｐが、本体ケース１の中心軸線Ｎに対して前傾させてある電気かみそりにおいて、保護突起４１を補強板２３の幅方向に沿って横長リブ状に形成する。
【０００９】
保護突起４１の下面に、内刃１０を斜め上向きに移動案内するガイド面４２を形成する。保護突起４１の突出寸法Ｂ１は、掛止フック３５の突出寸法Ｂ２と同じか、これより僅かに大きく設定する。保護突起４１と掛止フック３５とは、僅かな隙間Ｅを介して上下に対向させる。
【００１０】
本発明の別の電気かみそりは、かみそりヘッド７に配置される内刃１０と、かみそりヘッド７に着脱される外刃ホルダー１２と、外刃ホルダー１２で逆Ｕ字状に保持される外刃１１とを備えている。外刃１１は、シート状の網刃からなる刃本体２１と、刃本体２１の装着ベース２２に固定される補強板２３とを備えている。装着ベース２２と補強板２３との左右に設けた掛止穴２４は、外刃ホルダー１２の内面に突設した掛止フック３５に対して下方から掛止装着される。掛止フック３５は、横向きに延びる掛止腕３６と、掛止腕３６の突端から下向きに延びる抜止爪３７とで逆Ｌ字状に形成する。補強板２３の板面に、内刃１０が掛止フック３５に接当するのを阻止する保護突起４１を設ける。以て、抜止爪３７の下端面および内面のうち、少なくとも下端面を保護突起４１の外郭線内に位置させる。
【００１１】
内刃１０の中心軸線Ｐが、本体ケース１の中心軸線Ｎに対して前傾させてある電気かみそりにおいて、保護突起４１は、内刃１０を斜め上向きに移動案内する下面側のガイド面４２と、ガイド面４２に連続して上向きに延びる接当規制面５０とを備えている。保護突起４１の下端面および内面を、ガイド面４２および接当規制面５０を含む外郭線内に位置させる。
【００１２】
保護突起４１は、補強板２３の幅方向に沿って横長リブ状に形成する。あるいは、複数の保護突起４１を、補強板２３の幅方向に沿って分散配置する。接当規制面５０の突出寸法Ｂ１は、掛止フック３５の突出寸法Ｂ２と同じか、これより僅かに大きく設定する。
【発明の効果】
【００１３】
本発明では、外刃１１の左右に設けた掛止穴２４が、外刃ホルダー１２に設けた逆Ｌ字状の掛止フック３５に下方から掛止装着してある電気かみそりにおいて、掛止フック３５の下突端より下方に位置する補強板２３の下部に保護突起４１を設けるので、外刃ホルダー１２をかみそりヘッド７に装着するとき、内刃１０が掛止フック３５に接当するのを保護突起４１で阻止して、外刃ホルダー１２の内面に突設した掛止フック３５が内刃１０で傷付けられるのを確実に防止できる。また、斜めに傾いだ状態のままで外刃ホルダー１２が強引にかみそりヘッド７に装着されるような場合にも、外力を保護突起４１で受け止めて掛止フック３５が破損するのを防止できる。
【００１４】
内刃１０の中心軸線Ｐが、本体ケース１の中心軸線Ｎに対して前傾させてある電気かみそりにおいては、内刃１０が掛止フック３５に接当しやすいが、上記のように、掛止フック３５の下端面の下方に保護突起４１を設けると、内刃１０を保護突起４１で受け止めて、掛止フック３５が内刃１０で傷付けられるのを確実に防止できる。保護突起４１が補強板２３の幅方向に沿って横長リブ状に形成してあると、内刃１０がその中心軸線Ｐの周りに前後回動した状態のままで、外刃ホルダー１２がかみそりヘッド７に装着される場合でも、内刃１０の側端を保護突起４１で受け止めて、掛止フック３５に接当するのをさらに確実に防止できる。また、複数個の保護突起４１を分散配置する場合に比べて、補強板２３の構造強度を高めることができる。
【００１５】
保護突起４１の下面にガイド面４２を設けると、外刃ホルダー１２の装着時に、保護突起４１の下面に接当した内刃１０をガイド面４２で斜め上向きに移動案内して、内刃１０と保護突起４１とを互いに離れる向きに相対移動させて、両者１０・４１の相互乗り越えを円滑化して、掛止フック３５が内刃１０で傷付けられるのをさらに確実に防止できる。
【００１６】
保護突起４１の突出寸法Ｂ１を掛止フック３５の突出寸法Ｂ２と同じか、これより僅かに大きく設定するのは、掛止フック３５や補強板２３の寸法のばらつき、あるいは両者２３・３５の組み付け精度のばらつきが許容範囲にある場合に、内刃１０が掛止フック３５に接当するのを確実に防止して、掛止フック３５の傷付きを防ぐためである。
【００１７】
保護突起４１と掛止フック３５とが、僅かな隙間Ｅを介して上下に対向させてあると、保護突起４１に内刃１０が強く押し付けられたとしても、保護突起４１が隙間Ｅの分だけ弾性変形して外力を緩衝できるので、内刃１０と保護リブ４１との相互乗り越えをさらに円滑に行うことができる。
【００１８】
本発明に係る別の電気かみそりでは、外刃１１の左右に設けた掛止穴２４が、外刃ホルダー１２に設けた逆Ｌ字状の掛止フック３５に下方から掛止装着される外刃取付構造において、補強板２３の板面に保護突起４１を設け、掛止フック３５の抜止爪３７の少なくとも下端面を保護突起４１の外郭線内に位置させようにするので、刃ホルダー１２をかみそりヘッド７に装着するとき、内刃１０が掛止フック３５に接当するのを保護突起４１で阻止して、外刃ホルダー１２の内面に突設した掛止フック３５が内刃１０で傷付けられるのを確実に防止できる。また、斜めに傾いだ状態のままで外刃ホルダー１２が強引にかみそりヘッド７に装着されるような場合にも、外力を保護突起４１で受け止めて掛止フック３５が破損するのを防止できる。
【００１９】
内刃１０の中心軸線Ｐが、本体ケース１の中心軸線Ｎに対して前傾させてある電気かみそりにおいては、内刃１０が掛止フック３５に接当しやすいが、上記のように、抜止爪３７の少なくとも下端面を保護突起４１の外郭線内に位置させると、内刃１０を保護突起４１で受け止めて、掛止フック３５が内刃１０で傷付けられるのを確実に防止できる。内刃１０を斜め上向きに移動案内するガイド面４２と、ガイド面４２に連続して上向きに延びる接当規制面５０とを備えた保護突起４１においては、保護突起４１の抜止爪３７の下端面と、抜止爪３７の内面下部とが、ガイド面４２および接当規制面５０を含む外郭線内に位置する状態で内刃１０の接当を阻止できるので、抜止爪３７の内面が内刃１０で擦られることをも防止して、掛止フック３５を保護突起４１でさらに確実に保護できる。
【００２０】
保護突起４１が補強板２３の幅方向に沿って横長リブ状に形成してあると、内刃１０がその中心軸線Ｐの周りに前後回動している場合であっても、内刃１０の側端を保護突起４１で受け止めて、掛止フック３５に接当するのを確実に防止できる。また、複数個の保護突起４１を分散配置する場合に比べて、補強板２３の構造強度を高めることができる。
【００２１】
複数の保護突起４１を補強板２３の幅方向に沿って分散配置した補強板２３によれば、少なくとも２個の保護突起４１を配置することで掛止フック３５を保護できるので、その分だけ補強板２３を小形化できる。内刃１０が必要以上に保護突起４１と擦れあうこともない。
【発明を実施するための最良の形態】
【００２２】
図１ないし図７は本発明に係る電気かみそりの実施例を示す。図２において、符号１はグリップを兼ねる本体ケースであり、その内部にはモーター２、二次電池３、制御基板などが収容してある。本体ケース１の前面には、モーター２を起動し、あるいは停止させるためのスイッチノブ４と、表示灯５と、きわ剃り刃ユニット６などが設けてある。本体ケース１の上部のかみそりヘッド７には、内刃１０と外刃１１、および外刃１１を逆Ｕ字状に保形保持する外刃ホルダー１２が設けてある。図１に示すように、かみそりヘッド７の中心軸線Ｐは、本体ケース１の中心軸線Ｎに対して僅かに前傾させてある。
【００２３】
スイッチノブ４に設けたロック解除ボタン８を押し込み操作した状態で、図２に示すオフ位置からスイッチノブ４を上方へ一段押し上げ操作すると、モーター２が起動されて内刃１０を往復駆動できる。このオン位置からさらに上方へ一段押し上げ操作すると、きわ剃り刃ユニット６を起立揺動させて、内刃１０と共にきわ剃り刃ユニット６を駆動できる。
【００２４】
図４に示すように、モーター２の回転動力は、振動子１３で往復動力に変換されたのち、振動子１３の上面に突設した駆動軸１４を介して内刃１０に伝動される。内刃１０は、逆Ｕ字状の櫛刃からなる内刃本体１５と、内刃本体１５の下面側に固定される刃ホルダー１６とからなり、刃ホルダー１６が先の駆動軸１４に連結される。内刃１０の全体は、駆動軸１４と刃ホルダー１６との間に配置された圧縮コイル形のばね１７で押し上げ付勢してある。
【００２５】
図６において外刃１１は、シート状の網刃からなる刃本体２１と、刃本体２１の装着ベース２２に固定される補強板２３とで構成する。装着ベース２２は、刃本体２１の一対の長辺部に沿って設けてあり、一対の装着ベース２２の間に網刃構造の切刃が形成してある。補強板２３は、左右横長のプラスチック成形品であり、板面の左右２箇所に四角形の掛止穴２４が開口してあり、板面の長手方向に沿って５個の溶着ピン２５が直線列状に設けてある。掛止穴２４は刃本体２１の装着ベース２２にも同様に形成してある。外刃１１において、装着ベース２２と補強板２３とを含む部分を取付基部２６とする。
【００２６】
外刃ホルダー１２は、逆Ｕ字状に形成される左右一対の側壁３０と、両側壁３０を繋ぐ前壁３１および後壁３２とを一体に備えたプラスチック成形品からなり、上下面がそれぞれ開口している。下側の開口は、かみそりヘッド７の上面に膨出した装着部７ａに外嵌する装着開口３３として機能し、上側の開口は外刃１１の湾曲する切刃部分を露出させるために設けてある。かみそりヘッド７に装着した外刃ホルダー１２は、ヘッドケースの両側に組み込んだロック腕１８でロック保持してある。左右の側壁３０を掴んで、外刃ホルダー１２を左右交互に上向きに抜き出し操作すると、ロック腕１８との係合状態を解除して外刃ホルダー１２をかみそりヘッド７から取り外すことができる。
【００２７】
外刃ホルダー１２の前壁３１および後壁３２の内面左右には、それぞれ外刃１１の掛止穴２４用の掛止フック３５が一体に形成してある。掛止フック３５は、図１に示すように前壁３１の内面または後壁３２の内面から水平に突出する掛止腕３６と、掛止腕３６の突端から下向きに折れ曲がる抜止爪３７とで逆Ｌ字状に形成してある。掛止穴２４は、掛止フック３５に対して抜止爪３７の下方から組み付けられる。
【００２８】
外刃ホルダー１２をかみそりヘッド７に装着する際に、掛止フック３５が内刃１０で傷付けられるのを防ぐために、補強板２３の幅方向下縁に沿って横長の保護リブ（保護突起）４１が形成してある。図７に示すように、保護リブ４１は断面が三角形状のリブからなり、その下面側に斜め上向きのガイド面４２を有し、上面に掛止フック３５の抜止爪３７の下端と対向するリブ上面４３を備えている。つまり、保護リブ４１は、掛止フック３５の下突端より下方に位置する状態で左右横長に形成してある。
【００２９】
この実施例では、補強板２３の上縁寄りに、断面三角形状の上保護リブ（上保護突起）４６を設けて、外刃ホルダー１２をかみそりヘッド７から取り外す場合に、内刃１０が掛止フック３５の掛止腕３６や抜止爪３７に接当するのを防止できるようにした。上保護リブ４６の上面側には、内刃１０を移動案内する斜め下向きのガイド面４７が形成してある。図７に示すように、上保護リブ４６は掛止穴２４の形成位置において切り欠いてある。保護リブ４１と上保護リブ４６は、補強板２３の構造強度を向上することにも役立っている。
【００３０】
図１の拡大図部分に示すように外刃１１を外刃ホルダー１２に装着した状態における、保護リブ４１の前壁３１の内面からの突出寸法Ｂ１は、掛止フック３５の前壁３１の内面からの突出寸法Ｂ２より僅かに大きく設定してある。また、保護リブ４１のリブ上面４３と掛止フック３５の抜止爪３７の下端とは、僅かな隙間Ｅを介して上下に対向している。
【００３１】
上記のように、保護リブ４１の下面側にガイド面４２を設けると、図１に示すように外刃ホルダー１２をかみそりヘッド７に装着するとき、保護リブ４１の下面に接当した内刃１０をガイド面４２で斜め上方へ移動案内できるので、内刃１０が保護リブ４１に強く押し付けられるような場合であっても、内刃１０と保護リブ４１とを互いに離れる向きに相対移動させて、両者１０・４１の相互乗り越えを円滑に行うことができる。その結果、掛止フック３５が内刃１０で傷付けられるのを確実に防止できる。
【００３２】
保護リブ４１の突出寸法Ｂ１は掛止フック３５の突出寸法Ｂ２と同じか、これより僅かに小さい場合であっても、ある程度の保護作用を発揮できるが、寸法のばらつきや組み付け精度のばらつきなどを考慮すると、突出寸法Ｂ１は突出寸法Ｂ２と同じか、これより僅かに大きく設定することが好ましい。
【００３３】
保護リブ４１のリブ上面４３と掛止フック３５の抜止爪３７の下端とは、僅かな隙間Ｅを介して上下に対向している。そのため、保護リブ４１に内刃１０が強く押し付けられたとしても、保護リブ４１が先の隙間Ｅの分だけ弾性変形して外力を緩衝でき、さらに内刃１０をガイド面４２で斜め上方へ移動案内して、内刃１０と保護リブ４１との相互乗り越えを円滑に行うことができる。
【００３４】
保護リブ４１は、外刃ホルダー１２の内面側へ向かって突設してある。そのため、外刃１１を外刃ホルダー１２から取り外す場合には、保護リブ４１に指先を掛けて外刃１１を引下げ操作し、外刃１１の内外両面を摘んで掛止フック３５から斜めに抜き出し操作することにより、外刃１１を確実に取り外すことができる。これにより、従来の電気かみそりに比べて、外刃１１の掛止フック３５からの取り外し操作を簡便化して、外刃１１のメンテナンスや交換作業をユーザー自身で適正に行える。
【００３５】
外刃ホルダー１２をかみそりヘッド７に装着した状態では、図３に示すように外刃１１が内刃１０と共にばね１７で押し上げ操作されて、逆Ｕ字状に保形されている。このとき、掛止穴２４の下周面が掛止フック３５の掛止腕３６の下面で受け止められて、外刃１１の上方移動が規制されている。外刃ホルダー１２をかみそりヘッド７から取り外すと、図１および図５に示すように外刃１１は外刃ホルダー１２の前後壁３１・３２で受け止められて、逆Ｕ字状の湾曲姿勢に保持される。
【００３６】
外刃ホルダー１２をかみそりヘッド７から取り外すときは、内刃１０の前面が掛止腕３６の突端上面や抜止爪３７の内面に接当するおそれがある。しかし、上記のように補強板２３の上縁に沿って上保護リブ４６を設けると、内刃１０が上保護リブ４６に強く押し付けられるような場合であっても、内刃１０を上保護リブ４６のガイド面４７で案内して、保護リブ４１から離れる向きに移動案内できるので、両者１０・４６の相互乗り越えを円滑に行って、掛止フック３５が内刃１０で傷付けられるのを確実に防止できる。掛止フック３５は、掛止穴２４の上下方向の余裕隙間分だけ外刃１１に対して上方移動できるが、その掛止腕３６の上面が、掛止穴２４の上面に接当した状態であっても、掛止腕３６の上面、および抜止爪３７の内面を上保護リブ４６で保護して、内刃１０が掛止フック３５に接当するのを確実に防止できる。
【００３７】
上記の実施例では、掛止フック３５の下面側に保護突起４１を配置して、掛止フック３５を直接的に保護するようにしたが、その必要はなく、掛止フック３５の下端面側、および内面側を保護突起４１の外郭線内に位置させて、掛止フック３５を間接的に保護することができる。図８ないし図１１に従ってその詳細を説明する。なお、図８以下の実施例においては、先の実施例と異なる部分を主に説明して、先の実施例と同じ部材に同じ符号を付してその説明を省略する。
【００３８】
図８および図９においては、補強板２３の掛止穴２４の間であって、板面下縁に沿って横長リブ状の保護突起４１を設けた。保護突起４１は、内刃１０を斜め上向きに移動案内する下面側のガイド面４２と、ガイド面４２に連続して上向きに延びる接当規制面５０とで断面台形状に形成する。この補強板２３によれば、図９に示すように掛止フック３５の下端面と内面下部とを保護突起４１の外郭線内に位置させて、内刃１０が掛止フック３５に接当するのを阻止できる。先の実施例と同様に、保護突起４１の突出寸法Ｂ１は、掛止フック３５の突出寸法Ｂ２と同じか、これより僅かに大きく設定する。この実施例では、保護突起４１と同様に接当規制面５０を備えた上保護リブ（上保護突起）５１を、補強板２３の上縁寄りに設けている。
【００３９】
図１０に示す補強板２３では、５個の保護突起４１を補強板２３の幅方向に沿って分散配置して、掛止フック３５を保護できるようにした。保護突起４１にガイド面４２、および接当規制面５０が設けてある点は、図８の保護突起４１と同じである。また、接当規制面５０を備えた４個の上保護突起５２を、補強板２３の上縁寄りに分散配置した。
【００４０】
図１１に示す補強板２３では、保護突起４１を半球状の突起で形成し、補強板２３の下縁に沿って５個の保護突起４１を直線列状に分散配置した。保護突起４１の下半部側の球面はガイド面４２として機能しており、保護突起４１の外郭線の内部に抜止爪３７の下端面と内面下端とを位置させて、掛止フック３５を保護できる。この実施例においては先の保護突起４１と同様に半球状の突起で上保護突起５３を形成し、補強板２３の上縁寄りに５個の上保護突起５３を分散配置した。
【００４１】
図１２に示す補強板２３では、補強板２３の内面に上保護突起５１を兼ねる保護突起４１を設けた。保護突起４１は、その下面側のガイド面４２と、ガイド面４２に連続する接当規制面５０と、接当規制面５０の上端に連続するガイド面４７とを備えており、掛止穴２４に臨む個所において分断されている。この補強板２３によれば、図１３に示すように掛止フック３５を分断空間に位置させて、その左右両側を接当規制面５０で保護できる。掛止フック３５の下端面と内面下部とが、保護突起４１の外郭線内に位置させてある点、さらに、保護突起４１の突出寸法Ｂ１が、掛止フック３５の突出寸法Ｂ２と同じか、これより僅かに大きく設定してある点は先の実施例と同じである。
【００４２】
上記の実施例では、内刃１０の中心軸線Ｐが前傾させてある場合について説明したが、本発明は、図１４に示すように内刃１０の中心軸線と本体ケース１の中心軸線とが一致している場合にも適用できる。そこでは、外刃ホルダー１２が斜めに傾いだ状態で装着部７ａに装着されるような場合に、先の実施例と同様に掛止フック３５が内刃１０で傷付けられるのを保護リブ４１で直接的に保護することができる。
【００４３】
上記の実施例以外に、掛止フック３５をその下面側に設けた保護突起４１で直接的に保護する形態の補強板２３において、保護突起４１は横長リブ状に形成する必要はなく、図１０で説明したように補強板２３の下縁に沿って複数個の保護突起４１を分散配置することができる。その場合には、少なくとも左右の掛止穴２４に臨む補強板２３の下縁２箇所に保護突起４１が設けてあればよい。
【図面の簡単な説明】
【００４４】
【図１】外刃の取付構造を示す縦断側面図である。
【図２】電気かみそりの正面図である。
【図３】かみそりヘッドの縦断側面図である。
【図４】かみそりヘッドの縦断正面図である。
【図５】外刃の装着構造を示す縦断正面図である。
【図６】外刃ホルダーと外刃の分解斜視図である。
【図７】補強板と刃本体の分解斜視図である。
【図８】補強板の別実施例を示す斜視図である。
【図９】補強板と掛止フック関係構造を示す断面図である。
【図１０】補強板のさらに別の実施例を示す斜視図である。
【図１１】補強板のさらに別の実施例を示す斜視図である。
【図１２】補強板のさらに別の実施例を示す斜視図である。
【図１３】図１２の補強板の掛止穴を通る横断平面図である。
【図１４】電気かみそりの別の実施例を示す縦断側面図である。
【符号の説明】
【００４５】
７  かみそりヘッド
１０  内刃
１１  外刃
１２  外刃ホルダー
２１  刃本体
２２  装着ベース
２３  補強板
２４  掛止穴
３５  掛止フック
４１  保護リブ（保護突起）
４２  ガイド面
【図１】
2008022975.tif 000003
【図２】
2008022975.tif 000004
【図３】
2008022975.tif 000005
【図４】
2008022975.tif 000006
【図５】
2008022975.tif 000007
【図６】
2008022975.tif 000008
【図７】
2008022975.tif 000009
【図８】
2008022975.tif 000010
【図９】
2008022975.tif 000011
【図１０】
2008022975.tif 000012
【図１１】
2008022975.tif 000013
【図１２】
2008022975.tif 000014
【図１３】
2008022975.tif 000015
【図１４】
2008022975.tif 000016